(57)【要約】      （修正有）【課題】蛍光Ｘ線分析装置を用いて液体または粉末状の試料を分析する際に、外側部材と内側部材の着脱作業を容易にする挿抜治具、及び、挿抜治具セットを提供する。【解決手段】筒状の外側部材１２２と、該外側部材の内側に挿入される筒状の内側部材１２４と、該内側部材の開口を覆い、内側部材とともに囲む空間に蛍光Ｘ線分析装置で分析される試料が配置されるフィルム１２６と、を含む試料容器用の挿抜治具１００であって、上側に、フィルムが被せられた外側部材に内側部材を挿入する際に、外側部材の位置を保持する第１保持壁１０２を有し、下側に、挿入された内側部材を外側部材から抜き出す際に、内側部材の下端が接する部分と、該部分と内側部材の下端が当接した状態で外側部材の下端が入る溝１０４と、を有する。【選択図】図１
0003224198.tif 000002
【実用新案登録請求の範囲】
【請求項１】
筒状の外側部材と、該外側部材の内側に挿入される筒状の内側部材と、該内側部材の開口を覆い、前記内側部材とともに囲む空間に蛍光Ｘ線分析装置で分析される試料が配置されるフィルムと、を含む試料容器用の挿抜治具であって、
上側に、前記フィルムが被せられた前記外側部材に前記内側部材を挿入する際に、前記外側部材の位置を保持する第１保持壁を有し、
下側に、挿入された前記内側部材を前記外側部材から抜き出す際に、前記内側部材の下端が接する部分と、該部分と前記内側部材の下端が当接した状態で前記外側部材の下端が入る溝と、を有する、
ことを特徴とする挿抜治具。
【請求項２】
前記上側に、さらに、前記試料容器の下側端部と当接したときに、前記フィルムの測定部と接触しないことを特徴とする請求項１に記載の挿抜治具。
【請求項３】
前記上側に、さらに、前記試料容器の下側端部と当接したときに、前記フィルムと当接する当接面を有することを特徴とする請求項１に記載の挿抜治具。
【請求項４】
下側に、挿入された前記内側部材を前記外側部材から抜き出す際に、前記外側部材の位置を保持する第２保持壁を有する、ことを特徴とする請求項１乃至３のいずれかに記載の挿抜治具。
【請求項５】
前記第１保持壁は、外側側面と内側側面を貫通する通気口を有することを特徴とする請求項１乃至４のいずれかに記載の挿抜治具。
【請求項６】
前記上側又は前記下側の一方に、他方と区別する標識を有することを特徴とする請求項１乃至５のいずれかに記載の挿抜治具。
【請求項７】
前記標識は、前記上側又は前記下側の中央部に設けられた穴であることを特徴とする請求項６に記載の挿抜治具。
【請求項８】
前記挿抜治具は、一体的に形成されることを特徴とする請求項１乃至７のいずれかに記載の挿抜治具。
【請求項９】
前記挿抜治具は、前記第１保持壁と前記第２保持壁が形成された外側部と、前記試料容器の下端が当接する部分が形成された内側部と、が分離可能に形成され、
さらに、前記外側部と前記内側部との位置関係を固定する固定部を有する、
ことを特徴とする請求項４に記載の挿抜治具。
【請求項１０】
前記外側部は、前記固定部と対応する位置に外側側面と内側側面を貫通する第１ねじ穴を有し、
前記内側部は、前記固定部と対応する位置に第２ねじ穴を有し、
前記固定部は、前記第１ねじ穴及び前記第２ねじ穴に配置されるねじである、
ことを特徴とする請求項９に記載の挿抜治具。
【請求項１１】
ポリオレフィンで形成されることを特徴とする請求項１乃至１０のいずれかに記載の挿抜治具。
【請求項１２】
前記ポリオレフィンが透明または半透明であることを特徴とする請求項１１に記載の挿抜治具。
【請求項１３】
請求項１乃至１２のいずれかに記載の挿抜治具と
挿入された前記内側部材を前記外側部材から抜き出す際に、前記外側部材の上側端部に引っ掛けるフック部材と、
を有することを特徴とする挿抜治具セット。
【考案の詳細な説明】
【技術分野】
【０００１】
本考案は、蛍光Ｘ線分析装置で用いられる試料容器用の挿抜治具、及び、挿抜治具セットに関する。
【背景技術】
【０００２】
試料に含まれる元素を分析する蛍光Ｘ線分析法は、測定対象である試料が液体や粉末であっても適用される。下記非特許文献１及び２は、下部にフィルムを有する円筒状の試料容器に液体や粉末の試料を入れて、蛍光Ｘ線分析を行う方法を開示している。
【０００３】
また、下記非特許文献３は、液体や粉末の試料を入れる円筒状の試料容器の作成方法を開示している。具体的には、まず、円筒状の外側部材が治具に配置される。次に、外側部材の上側の開口にフィルムが張られ、外側部材の内側に円筒状の内側部材が挿入される。そして、外側部材と内側部材に挟まれることで固定されたフィルムの上に液体試料が配置される。
【先行技術文献】
【非特許文献】
【０００４】
【非特許文献１】中井泉著、“蛍光Ｘ線分析の実際”、朝倉書店出版、２００５年１０月２０日発行、７２-７３ページ
【非特許文献２】森山孝男、森川敦史著、「蛍光Ｘ線分析法における試料調製」、株式会社リガク、リガクジャーナル 47(1) p.30-35
【非特許文献３】［令和元年８月８日検索］、インターネット< https://www.bing.com/videos/search?q=sample+preparation++liquid+cell+XRF&&view=detail&mid=73020A9B2BC52D0B33DB73020A9B2BC52D0B33DB&&FORM=VDRVRV >
【考案の概要】
【考案が解決しようとする課題】
【０００５】
上記非特許文献１乃至３の試料容器は、原則的に使い捨てにされるため不経済である。また、外側部材と内側部材を取り外して再利用しようとしようとしても、外側部材と内側部材を取り外すことは容易ではない。
【０００６】
本考案は上記課題に鑑みてなされたものであって、その目的は、蛍光Ｘ線分析装置を用いて液体または粉末状の試料を分析する際に、試料容器の外側部材と内側部材の着脱作業を容易にする挿抜治具、及び、挿抜治具セットを提供することである。
【課題を解決するための手段】
【０００７】
請求項１に記載の挿抜治具は、筒状の外側部材と、該外側部材の内側に挿入される筒状の内側部材と、該内側部材の開口を覆い、前記内側部材とともに囲む空間に蛍光Ｘ線分析装置で分析される試料が配置されるフィルムと、を含む試料容器用の挿抜治具であって、上側に、前記フィルムが被せられた前記外側部材に前記内側部材を挿入する際に、前記外側部材の位置を保持する第１保持壁を有し、下側に、挿入された前記内側部材を前記外側部材から抜き出す際に、前記内側部材の下端が接する部分と、該部分と前記内側部材の下端が当接した状態で前記外側部材の下端が入る溝と、を有する、ことを特徴とする。
【０００８】
請求項２に記載の挿抜治具は、請求項１に記載の挿抜治具において、前記上側に、さらに、前記試料容器の下側端部と当接したときに、前記フィルムの測定部と接触しないことを特徴とする。
【０００９】
請求項３に記載の挿抜治具は、請求項１に記載の挿抜治具において、前記上側に、さらに、前記試料容器の下側端部と当接したときに、前記フィルムと当接する当接面を有することを特徴とする。
【００１０】
請求項４に記載の挿抜治具は、請求項１乃至３のいずれかに記載の挿抜治具において、下側に、挿入された前記内側部材を前記外側部材から抜き出す際に、前記外側部材の位置を保持する第２保持壁を有する、ことを特徴とする。
【００１１】
請求項５に記載の挿抜治具は、請求項１乃至４のいずれかに記載の挿抜治具において、前記第１保持壁は、外側側面と内側側面を貫通する通気口を有することを特徴とする。
【００１２】
請求項６に記載の挿抜治具は、請求項１乃至５のいずれかに記載の挿抜治具において、前記上側又は前記下側の一方に、他方と区別する標識を有することを特徴とする。
【００１３】
請求項７に記載の挿抜治具は、請求項６に記載の挿抜治具において、前記標識は、前記上側又は前記下側の中央部に設けられた穴であることを特徴とする。
【００１４】
請求項８に記載の挿抜治具は、請求項１乃至７のいずれかに記載の挿抜治具において、前記挿抜治具は、一体的に形成されることを特徴とする。
【００１５】
請求項９に記載の挿抜治具は、請求項４に記載の挿抜治具において、前記挿抜治具は、前記第１保持壁と前記第２保持壁が形成された外側部と、前記試料容器の下端が当接する部分が形成された内側部と、が分離可能に形成され、さらに、前記外側部と前記内側部との位置関係を固定する固定部を有する、ことを特徴とする。
【００１６】
請求項１０に記載の挿抜治具は、請求項９に記載の挿抜治具において、前記外側部は、前記固定部と対応する位置に外側側面と内側側面を貫通する第１ねじ穴を有し、前記内側部は、前記固定部と対応する位置に第２ねじ穴を有し、前記固定部は、前記第１ねじ穴及び前記第２ねじ穴に配置されるねじである、ことを特徴とする。
【００１７】
請求項１１に記載の挿抜治具は、請求項１乃至１０のいずれかに記載の挿抜治具において、ポリオレフィンで形成されることを特徴とする。
【００１８】
請求項１２に記載の挿抜治具は、請求項１１に記載の挿抜治具において、前記ポリオレフィンが透明または半透明であることを特徴とする。
【００１９】
請求項１３に記載の挿抜治具セットは、請求項１乃至１２のいずれかに記載の挿抜治具と、挿入された前記内側部材を前記外側部材から抜き出す際に、前記外側部材の上側端部に引っ掛けるフック部材と、を有することを特徴とする。
【考案の効果】
【００２０】
請求項１、４、８、１１乃至１３に記載の考案によれば、蛍光Ｘ線分析装置を用いて液体または粉末状の試料を分析する際に、試料容器の外側部材と内側部材を容易に着脱することができる。
【００２１】
また、請求項２に記載の考案によれば、挿入時に、Ｘ線が照射されるフィルムの汚染を防止できる。
【００２２】
また、請求項３に記載の考案によれば、Ｘ線が照射されるフィルムが撓まないようにすることができる。
【００２３】
また、請求項５に記載の考案によれば、挿入時にフィルムの破損を防止できる。
【００２４】
また、請求項６及び７に記載の考案によれば、挿抜治具の向きを容易に識別できる。
【００２５】
また、請求項９及び１０に記載の考案によれば、挿抜治具を容易に清掃できる。
【図面の簡単な説明】
【００２６】
【図１】本考案の実施形態に係る挿抜治具を示す図である。
【図２】本考案の実施形態に係る挿抜治具を示す図である。
【図３】本考案の実施形態に係る挿抜治具セットを示す図である。
【図４】挿入された内側部材を外側部材から抜き出す工程を示す図である。
【図５】変形例に係る挿抜治具を示す図である。
【図６】変形例に係る挿抜治具及び挿抜治具セットを示す図である。
【考案を実施するための形態】
【００２７】
以下、本考案を実施するための好適な実施の形態（以下、実施形態という）を説明する。図１及び図２は、本考案に係る試料容器１２０用の挿抜治具１００を概略的に示す図である。図１（ａ）は、挿抜治具１００を上側から見た図であり、図１（ｂ）は、挿抜治具１００の断面を示す図である。なお、挿抜治具１００の上側及び下側とは、図１（ｂ）及び図２（ｂ）の紙面上、上側及び下側を意味するものとする。
【００２８】
試料容器１２０は、外側部材１２２と、内側部材１２４と、フィルム１２６と、を含む。具体的には、外側部材１２２及び内側部材１２４は、筒状の形状であって、上側と下側に開口を有する。また、内側部材１２４は、外側部材１２２の内側に挿入される。フィルム１２６は、外側部材１２２と内側部材１２４の間に挟まれて固定され、内側部材１２４の下側の開口を覆う。内側部材１２４とともに囲む空間に蛍光Ｘ線分析装置で分析される試料１２８が配置される。なお、試料容器１２０は従来から知られたものでよく、形状はこれに限られない。また、試料容器１２０各部の材料は、適宜選択されてよい。
【００２９】
挿抜治具１００は、上側に、第１保持壁１０２と、段差１０６と、を有する。第１保持壁１０２は、フィルム１２６が被せられた外側部材１２２に内側部材１２４を挿入する際に、外側部材１２２の位置を保持する。具体的には、例えば、第１保持壁１０２は、挿抜治具１００の上側に、外側部材１２２の外周に沿う形状で形成される。外側部材１２２が円筒の形状である場合、第１保持壁１０２は当該形状にあわせて円形に形成される。
【００３０】
試料容器１２０を作成する場合、まず、外側部材１２２が挿抜治具１００の上側で第１保持壁１０２の内側に配置される。この時、外側部材１２２は、第１保持壁１０２によって水平方向の位置が保持される。次に、外側部材１２２の上側の開口にフィルム１２６が被せられる。そして、外側部材１２２の上側から、内側部材１２４が挿入される。これにより、フィルム１２６は、外側部材１２２と内側部材１２４で挟まれて固定されるとともに、内側部材１２４の下側の開口を覆う。当該挿入作業の際に挿抜治具１００が外側部材１２２の位置を保持することによって、挿入作業が容易になる。
【００３１】
また、第１保持壁１０２は、通気口１１２を有してもよい。具体的には、第１保持壁１０２は、外側側面と内側側面を貫通する通気口１１２を有していてもよい。外側部材１２２の上側の開口にフィルム１２６が被せられた状態で、外側部材１２２とフィルム１２６で囲まれる空間には空気が存在する。内側部材１２４が挿入されるときに、フィルム１２６は下側の開口の下端の位置に合わせて下側に移動し当該空間の体積は減少する。このとき、当該空気が圧縮されることによって、フィルム１２６が破損するおそれがある。通気口１１２は、当該空気を外に排出することにより、フィルム１２６の破損を防止できる。また、フィルム１２６が破損しない場合であっても、挿入作業をしやすくすることができる。通気口１１２は、図１（ａ）に示すように、複数形成されてもよい。
【００３２】
段差１０６は、試料容器１２０の下側端部と当接したときに、フィルム１２６と離間させる。具体的には、段差１０６は、試料容器１２０の下側端部と挿抜治具１００の上側が当接する部分に形成される。また、段差１０６は、挿抜治具１００の内側が外側よりも低くなるように形成される。これにより、外側部材１２２に内側部材１２４を挿入する際に、フィルム１２６の測定部が挿抜治具１００の上側の表面に接触することを防止できる。測定部は、蛍光Ｘ線分析装置によってＸ線が照射される部分である。従って、外側部材１２２に不純物等が付着していた場合に、フィルム１２６が汚染されることを防止できる。
【００３３】
なお、挿抜治具１００は、段差１０６に代えて、上側に試料容器１２０の下側端部と当接したときにフィルム１２６と当接する当接面１０８を有してもよい。図２（ａ）は、挿抜治具１００を上側から見た図であり、図２（ｂ）は、挿抜治具１００の断面を示す図である。当接面１０８は、内側部材１２４の下端が外側部材１２２の下端の位置まで挿入されたときに、フィルム１２６と当接する。これにより、当接面１０８は、フィルム１２６を平面形状に保持し、Ｘ線が照射されるフィルム１２６が撓まないようにすることができる。なお、図１（ｂ）と図２（ｂ）は、段差１０６を有するか当接面１０８を有するか否かのみが相違し、他の構成は同じである。
【００３４】
挿抜治具１００は、下側に、第２保持壁１１０と、溝１０４と、を有する。第２保持壁１１０は、挿入された内側部材１２４を外側部材１２２から抜き出す際に、外側部材１２２の位置を保持する。具体的には、例えば、第２保持壁１１０は、挿抜治具１００の下側に、外側部材１２２の外周に沿う形状で形成される。外側部材１２２が円筒の形状である場合、第１保持壁１０２は当該形状にあわせて円形に形成される。挿入された内側部材１２４を外側部材１２２から抜き出す際に、内側部材１２４の下端が接する部分と該部分と内側部材１２４の下端とが当接した状態で、溝１０４には、外側部材１２２の下端が入る。挿入された内側部材１２４を外側部材１２２から抜き出す方法については後述する。
【００３５】
挿抜治具１００は、上側又は下側の一方に、他方と区別する標識１１４を有していてもよい。具体的には、例えば、標識１１４は、上側又は下側の中央部に設けられた穴である。当該穴により、挿抜治具１００の上側と下側を容易に認識できる。なお、標識１１４は、挿抜治具１００の上側と下側のいずれに形成されてもよいが、挿抜治具１００がフィルム１２６と当接する当接面１０８を有する場合、下側に形成されることが望ましい。標識１１４が当接面１０８の形成されていない下側に形成されることで、当接面１０８全体をフィルム１２６に当接させることができる。
【００３６】
本発明は、上記のような挿抜治具１００ととともに、フック部材３００を含む挿抜治具セットであってもよい。図３（ａ）は、フック部材３００を上側から見た図である。図３（ｂ）は、フック部材３００が試料容器１２０に係合した状態を上側から見た図である。図３（ｃ）は、フック部材３００が試料容器１２０に係合した状態で、挿抜治具１００の断面を示す図である。
【００３７】
フック部材３００は、挿入された内側部材１２４を外側部材１２２から抜き出す際に、外側部材１２２の上側端部に引っ掛ける部材である。図３（ｂ）に示すように、試料容器１２０は、外側部材１２２の上側端部と内側部材１２４の間に隙間を有する。フック部材３００は、当該隙間に係合する突起を有する。当該突起の平面形状は、外側部材１２２の外形の一部に沿った形状である。また、フック部材３００は、ユーザが両手で持つために２個セットで用いられる。フック部材３００を用いて、ユーザは、挿入された内側部材１２４を外側部材１２２から抜き出す。
【００３８】
図４は、挿入された内側部材１２４を外側部材１２２から抜き出す工程を示す図である。なお、図４は、内側部の下側に標識１１４が形成されない実施形態を記載しているが、図１（ｂ）乃至図３（ｂ）に示すように、標識１１４が形成されてもよい。試料１２８が廃棄された後の試料容器１２０は、試料容器１２０の下端が挿抜治具１００の下側と当接するように配置される。すなわち、図４に示すように、内側部材１２４を外側部材１２２から抜き出す場合、挿抜治具１００は、挿入するときとは反対向きに、下側が上に向くように配置される。
【００３９】
次に、フック部材３００は、外側部材１２２の上側端部と内側部材１２４の間の隙間に係合される。そして、フック部材３００は、下側に向けて力が加えられる。ここで、挿抜治具１００の下側には、外側部材１２２の下端が入る溝１０４と、内側部材１２４の下端が当接する部分と、が形成されている。すなわち、挿抜治具１００の下側に試料容器１２０が配置された状態で、内側部材１２４は挿抜治具１００と当接しているが、外側部材１２２は当接していない。また、外側部材１２２の水平方向の位置は、第２保持壁１１０によって保持されている。従って、フック部材３００に対して下側に向けて力が加えられることにより、外側部材１２２のみが下側に移動する。これにより、容易に内側部材１２４を外側部材１２２から抜き出すことができる。
【００４０】
挿抜治具１００及びフック部材３００は、ポリオレフィンで形成されることが望ましい。具体的には、例えば、挿抜治具１００及びフック部材３００は、ポリオレフィン（例えば、ポリメチルペンテン）で形成されることが望ましい。これにより、挿抜治具１００及びフック部材３００の耐熱性及び耐薬品性が高くなる。
【００４１】
さらに、挿抜治具１００は、透明または半透明のポリオレフィンで形成されることが望ましい。これにより、試料容器１２０に試料１２８を注ぐ際に、その状況を外部から確認しやすくなる。
【００４２】
本考案は、上記の実施例に限定されるものではなく、種々の変形が可能である。挿抜治具１００及び挿抜治具セットの構成は一例であって、これに限定されるものではない。上記の実施例で示した構成と実質的に同一の構成、同一の作用効果を奏する構成または同一の目的を達成する構成で置き換えてもよい。
【００４３】
[変形例１]
例えば、段差の代わりに貫通穴を設けてもよい。具体的には、例えば、図１に示す段差を設ける実施例の変形例として、図５に示すように、挿抜治具１００は、フィルム１２６の測定部（Ｘ線が照射される部分）と相対する領域に貫通穴５００を有してもよい。貫通穴５００によって、試料容器１２０の下側端部と当接したときに、フィルム１２６の測定部と挿抜治具１００は接触しない。従って、外側部材１２２に不純物等が付着していた場合に、フィルム１２６が汚染されることを防止できる。また、本変形例では、貫通穴５００が通気口１１２の機能を有するため、通気口１１２は必要ない。
【００４４】
[変形例２]
また、上記挿抜治具１００は、一体的に形成されている。しかし、挿抜治具１００は、外側部６００と内側部６０２とが分離可能に形成され、外側部６００と内側部６０２との位置関係を固定する固定部６０８を有する構成としてもよい。
【００４５】
具体的には、図６（ａ）は、外側部６００を示す図である。図６（ｂ）は、外側部６００と内側部６０２が固定部６０８で固定された状態の挿抜治具１００を示す図である。図６（ｃ）は、変形例において、挿入された内側部材１２４を外側部材１２２から抜き出す工程を示す図である。
【００４６】
外側部６００は、上記実施形態における第１保持壁１０２と、第２保持壁１１０と、通気口１１２と、外側部材１２２の下端が当接する部分と、が形成された部分である。変形例では、外側部６００は、さらに、固定部６０８と対応する位置に外側側面と内側側面を貫通する第１ねじ穴６０４を有する。
【００４７】
内側部６０２は、上記実施形態における当接面１０８と、標識１１４と、が形成された部分である。内側部６０２は、上側に、内側部材１２４の下端及びフィルム１２６と当接する当接面１０８を有する。図６（ａ）乃至図６（ｃ）は、内側部６０２の下側に標識１１４が形成されない実施例を記載しているが、図１（ｂ）乃至図３（ｂ）に示すように、標識１１４が形成されてもよい。また、変形例では、内側部６０２は、固定部６０８と対応する位置に第２ねじ穴６０６を有する。
【００４８】
固定部６０８は、例えば、第１ねじ穴６０４及び第２ねじ穴６０６に配置されるねじである。固定部６０８が第１ねじ穴６０４及び第２ねじ穴６０６に配置された状態で、外側部６００と内側部６０２の位置関係は固定される。一方、固定部６０８が取り外された状態では、内側部６０２と外側部６００は分離可能である。
【００４９】
また、内側部６０２と外側部６００の間には、内側部材１２４の下端が接する部分と、該部分と内側部材１２４の下端と、が当接した状態で、外側部材１２２の下端が入る溝１０４が形成される。
【００５０】
本変形例では、フィルム１２６と挿抜治具１００が当接しないように挿入する場合、外側部６００のみが用いられる。具体的には、図６（ａ）に示すように、外側部６００の外側部材１２２の下端が当接する部分に外側部材１２２が配置される。挿入の方法は、上記実施形態と同様である。
【００５１】
フィルム１２６と挿抜治具１００が当接するように挿入する場合、挿抜治具１００は、外側部６００と内側部６０２が固定された状態で用いられる。具体的には、図６（ｂ）に示すように、外側部６００の外側部材１２２の下端が当接する部分に外側部材１２２が当接するように配置される。そして、内側部材１２４の下端が外側部材１２２の下端の位置まで挿入されたときに、フィルム１２６は、内側部６０２の上側の当接面１０８に当接する。
【００５２】
内側部材１２４を外側部材１２２から抜き出す場合、内側部６０２の下側が上に向くように配置される。内側部６０２の下側が上に向いた状態で、挿抜治具１００の下側に試料容器１２０が配置される。このとき、内側部材１２４は内側部６０２と当接しているが、外側部材１２２は当接していない。従って、上記実施形態と同様に、容易に内側部材１２４を外側部材１２２から抜き出すことができる。
【００５３】
以上のような変形例によれば、挿抜治具１００の溝１０４は、内側部６０２と外側部６００の間に形成される。従って、溝１０４に付着した不純物を容易に清掃することができる。
【符号の説明】
【００５４】
１００  挿抜治具、１０２  第１保持壁、１０４  溝、１０６  段差、１０８  当接面、１１０  第２保持壁、１１２  通気口、１１４  標識、１２０  試料容器、１２２  外側部材、１２４内側部材、１２６  フィルム、１２８  試料、３００  フック部材、５００  貫通穴、６００  外側部、６０２  内側部、６０４  第１ねじ穴、６０６  第２ねじ穴、６０８  固定部。
【図１】
0003224198.tif 000003
【図２】
0003224198.tif 000004
【図３】
0003224198.tif 000005
【図４】
0003224198.tif 000006
【図５】
0003224198.tif 000007
【図６】
0003224198.tif 000008
【手続補正書】
【提出日】令和1年10月4日(2019.10.4)
【手続補正１】
【補正対象書類名】実用新案登録請求の範囲
【補正対象項目名】全文
【補正方法】変更
【補正の内容】
【実用新案登録請求の範囲】
【請求項１】
筒状の外側部材と、該外側部材の内側に挿入される筒状の内側部材と、該内側部材の開口を覆い、前記内側部材とともに囲む空間に蛍光Ｘ線分析装置で分析される試料が配置されるフィルムと、を含む試料容器用の挿抜治具であって、
上側に、前記フィルムが被せられた前記外側部材に前記内側部材を挿入する際に、前記外側部材の位置を保持する第１保持壁を有し、
下側に、挿入された前記内側部材を前記外側部材から抜き出す際に、前記内側部材の下端が接する部分と、該部分と前記内側部材の下端が当接した状態で前記外側部材の下端が入る溝と、を有する、
ことを特徴とする挿抜治具。
【請求項２】
前記挿抜治具の前記上側が前記試料容器の下側端部と当接したときに、前記挿抜治具の前記上側が前記フィルムの測定部と接触しないことを特徴とする請求項１に記載の挿抜治具。
【請求項３】
前記挿抜治具の前記上側が前記試料容器の下側端部と当接したときに、前記挿抜治具の前記上側が前記フィルムと当接する当接面を有することを特徴とする請求項１に記載の挿抜治具。
【請求項４】
前記下側に、挿入された前記内側部材を前記外側部材から抜き出す際に、前記外側部材の位置を保持する第２保持壁を有する、ことを特徴とする請求項１乃至３のいずれかに記載の挿抜治具。
【請求項５】
前記第１保持壁は、外側側面と内側側面を貫通する通気口を有することを特徴とする請求項１乃至４のいずれかに記載の挿抜治具。
【請求項６】
前記上側又は前記下側の一方に、他方と区別する標識を有することを特徴とする請求項１乃至５のいずれかに記載の挿抜治具。
【請求項７】
前記標識は、前記上側又は前記下側の中央部に設けられた穴であることを特徴とする請求項６に記載の挿抜治具。
【請求項８】
前記挿抜治具は、一体的に形成されることを特徴とする請求項１乃至７のいずれかに記載の挿抜治具。
【請求項９】
前記挿抜治具は、前記第１保持壁と前記第２保持壁が形成された外側部と、前記試料容器の下端が当接する部分が形成された内側部と、が分離可能に形成され、
さらに、前記外側部と前記内側部との位置関係を固定する固定部を有する、
ことを特徴とする請求項４に記載の挿抜治具。
【請求項１０】
前記外側部は、前記固定部と対応する位置に外側側面と内側側面を貫通する第１ねじ穴を有し、
前記内側部は、前記固定部と対応する位置に第２ねじ穴を有し、
前記固定部は、前記第１ねじ穴及び前記第２ねじ穴に配置されるねじである、
ことを特徴とする請求項９に記載の挿抜治具。
【請求項１１】
ポリオレフィンで形成されることを特徴とする請求項１乃至１０のいずれかに記載の挿抜治具。
【請求項１２】
前記ポリオレフィンが透明または半透明であることを特徴とする請求項１１に記載の挿抜治具。
【請求項１３】
請求項１乃至１２のいずれかに記載の挿抜治具と
挿入された前記内側部材を前記外側部材から抜き出す際に、前記外側部材の上側端部に引っ掛けるフック部材と、
を有することを特徴とする挿抜治具セット。